(57)【要約】【課題】表示パターン切替による４表示方向に対応するための液晶表示７セグメントのセグメント数を最少限に抑え、コストダウンを図ることのできる４表示方向切替機能付き表示装置を提供する。【解決手段】上方向に対応する第１の表示パターン７、右方向に対応する第２の表示パターン８、下方向に対応する第３の表示パターン９および左方向に対応する第４の表示パターン１０が、複数組の液晶表示７セグメントの組み合わせによって形成されている表示手段と、第１ないし第４の表示パターンのいずれかを選択させるための表示方向切替操作手段と、表示方向切替操作手段の操作に応じて第１ないし第４の表示パターンのいずれかを選択し、表示動作を行わせる表示方向切替手段とを有している。【選択図】図３
2007256559.tif 000002
【特許請求の範囲】
【請求項１】
上方向に対応する第１の表示パターン、右方向に対応する第２の表示パターン、下方向に対応する第３の表示パターンおよび左方向に対応する第４の表示パターンが、複数組の液晶表示７セグメントの組み合わせによって形成されている表示手段と、前記第１ないし第４の表示パターンのいずれかを選択させるための表示方向切替操作手段と、該表示方向切替操作手段の操作に応じて前記第１ないし第４の表示パターンのいずれかを選択し、表示動作を行わせる表示方向切替手段とを有することを特徴とする４表示方向切替機能付き表示装置。
【請求項２】
前記複数組の液晶表示７セグメントは、形状および大きさが同一であることを特徴とする請求項１に記載の４表示方向切替機能付き表示装置。
【請求項３】
前記表示手段は、上下方向と左右方向の十字状に複数組の液晶表示７セグメントが配列されることによって形成されると共に、前記十字状の交差部分では前記第１ないし第４の表示パターンに共通に使用される液晶表示セグメントを含むことを特徴とする請求項１または２に記載の４表示方向切替機能付き表示装置。
【請求項４】
前記表示手段は、二つの液晶表示７セグメントが４セグメントの共用によりカギ状をなす液晶表示セグメント群を、左右方向に一列に配列することによって形成されることを特徴とする請求項１または２に記載の４表示方向切替機能付き表示装置。
【請求項５】
前記第１ないし第４の各表示パターンは、動作を表示するための動作表示部を含むことを特徴とする請求項１ないし４のいづれかに記載の４表示方向切替機能付き表示装置。
【発明の詳細な説明】
【技術分野】
【０００１】
本発明は、表示方向が上下左右の４方向に切替可能である、電力量等の数字を主に表示する表示装置に関するものである。
【背景技術】
【０００２】
近年の地球環境問題への意識向上にともない、電力エネルギーにおいてもきめ細かく管理する必要性が生じており、既存の分電盤や機械設備に取り付けるための小型化を実現した配線用遮断器形の電子式電力量計が既に知られている。
【０００３】
従来１方向接続であった配線用遮断器形の電子式電力量計は、その形状がゆえに４方向接続（上、下、左、右）の要求が発生し、この４方向接続に対応するために、図９に示されるようにそれぞれ４機種を揃えていた。
【０００４】
図９において、（ａ）はＴタイプ（上側電源接続タイプ）であり、（ｂ）はＢタイプ（下側電源接続タイプ）であり、（ｃ）はＬタイプ（左側電源接続タイプ）であり、（ｄ）はＲタイプ（右側電源接続タイプ）である。１０１は電子式電力量計の筐体、１０２は電源側端子ねじ、１０３は負荷側端子ねじ、１０４は複数組の液晶表示７セグメントからなる計量表示部、１０５は液晶表示による動作表示部である。
【０００５】
４機種を揃えるため、１機種に比べて機種数が４倍となり、電子式電力量計の製造および管理上の手間が掛かっていた。
【０００６】
上述した問題点を解決するものとして、従来、計量表示部（液晶表示）を機器本体に対して機械的に回動可能とした表示装置が特開２００３−３１５３６３号公報（特許文献１）に記載されている。
【０００７】
これは、計量表示部を機器本体から水平方向に引き出し、表示方向（設置方向）に合わせて回転させた後に元の位置に戻すことによって、計量表示部を機器本体の表示方向に合わせることができる。計量表示部を機器本体から垂直に引き出すのではなく、水平方向に引き出してから回転させる構成としたことにより、分電盤用機器の寸法規制を満足することを可能としたものである。
【０００８】
また、図１０に示される電子式電力量計が従来知られている。これは、計量表示部を機械的に回動させることなく、表示方向切替スイッチ１０６の操作にて計量表示部１０７の表示パターンを切り替えることによって計量値および計量単位などの表示方向を機器本体の設置方向に合わせることを可能としたものである。図１０（ａ）に示されるものは図９のＴタイプに相当するものである。表示方向切替スイッチ１０６を右側に切り替えると、図１０（ｂ）に示されるように、Ｒタイプの表示パターンに切り替えられる。表示方向切替スイッチ１０６を左側に切り替えると、図１０（ｃ）に示されるように、Ｌタイプの表示パターンに切り替えられる。
【０００９】
図１０に示されるものは、計量値表示をドットマトリクス液晶表示器で行うことにより、計量値等の表示方向を機器本体の設置方向（３方向）に合わせることができる。
【００１０】
また、タイムスイッチにおいても、時刻表示をドットマトリクス液晶表示器で行うことにより、表示方向をタイムスイッチの設置方向に合わせることができるものが特許第３３０８６６０号公報（引用文献２）に示されている。
【特許文献１】特開２００３−３１５３６３号公報
【特許文献２】特許第３３０８６６０号公報
【発明の開示】
【発明が解決しようとする課題】
【００１１】
特許文献１に示されるものは、計量表示部が固定されている機器に比べ、次のとおり余計な部品を必要とする。
・計量表示部を水平方向に引き出し、摺動させて移動させるための支持部品
・計量表示部を回転させるための支持部品
・計量表示部を９０度回転するごとに固定するための支持部品
・計量表示部を機器本体に固定するための部品
・計量表示部を機器本体内部の電子回路基板と接続するための中継基板および接続ケーブル
これらの部品の製造、組立および調整に要する原価のため、計量表示部が固定されている機器に比べ、確実に製造原価の増大を招く。
【００１２】
また、計量表示部を機器本体から水平方向に引き出し、設置方向に合わせて回転させた後、元の位置に戻す、という一連の動作は、動作の途中で計量表示部に無理な加重を加えたり、計量表示部と機器本体の間に異物が混入したりした場合は、動作不良や故障に繋がる。そのため、計量表示部の回転を行う際は、慎重な作業が要求され、使い勝手が悪くなる。
【００１３】
図１０および特許文献２に示されるものは、数字表示にドットマトリクス液晶表示器を使用することを前提としている。一般的な液晶表示器は、７セグメントとドットマトリクスに大別され、各々最適な用途が異なる。
【００１４】
ドットマトリクス液晶表示器は、表示する文字や図形をドット（画素）、すなわち、細かい点の集まりとして表示する。したがって、ドットを細かくすれば複雑な形状の表示も可能であり、主として図形や画像の表示に使用される。一方、７セグメント液晶表示器は、台形、六角形、あるいは長方形のセグメント（素子）を７個組み合わせて一組としたものである。７個のセグメントの表示の組み合わせによって、主として数字や一部のアルファベットの表示に使用される。
【００１５】
このように、両者はその構成や用途が異なるが、表示単位を点灯するか消灯するかによって表示状態を変える、という表示の原理は同様である。この表示単位は、ドットマトリクス液晶表示器ではドット１個、７セグメント液晶表示器ではセグメント１個に相当する。
【００１６】
したがって、例えば数字の「７」を表示する場合、７セグメント液晶表示器では４個のセグメントを点灯するだけで済むが、ドットマトリクス液晶表示では何倍もの数のドットを点灯しなければならない。
【００１７】
表示単位には各々電極を配置して配線する必要があるため、表示単位が多くなればそれに比例して電極や配線の数も多くなり、液晶表示器本体の構造が複雑になる。それに伴い、液晶表示器の表示を制御するための駆動回路の構成も複雑になり、さらには、駆動回路を制御するためのソフトウェアの構成も複雑になる。
【００１８】
計量値表示のように、主として数字を表示する目的のためにドットマトリクス液晶表示器を使用した場合、７セグメント液晶表示器に比べ、表示器本体の原価は言うまでもなく、駆動回路の製造原価、およびソフトウェア作成の原価が確実に増大する。
【００１９】
また、ドットマトリクス液晶表示器は、画素数が多くなればなるほど、いわゆるドット欠け（一部のドットが点灯しない、または点灯したまま消灯しない不良状態）が起こり易くなるという欠点がある。７セグメント液晶表器でもセグメントの点灯不良が起こることはあるが、セグメントの数はドットマトリクス液晶表示器のドットに比べれば格段に少ないので、点灯不良が起こる確率は格段に低くなる。
【００２０】
（本発明の目的）
本発明の目的は、表示パターン切替による４表示方向に対応するための液晶表示７セグメントのセグメント数を最少限に抑え、コストダウンを図ることのできる４表示方向切替機能付き表示装置を提供することである。
【課題を解決するための手段】
【００２１】
上記目的を達成するために、本発明は、上方向に対応する第１の表示パターン、左方向に対応する第２の表示パターン、下方向に対応する第３の表示パターンおよび右方向に対応する第４の表示パターンが、複数組の液晶表示７セグメントの組み合わせによって形成されている表示手段と、前記第１ないし第４の表示パターンのいずれかを選択させるための表示方向切替操作手段と、該表示方向切替操作手段の操作に応じて前記第１ないし第４の表示パターンのいずれかを選択し、表示動作を行わせる表示方向切替手段とを有する４表示方向切替機能付き表示装置とするものである。
【発明の効果】
【００２２】
本発明によれば、表示パターン切替による４表示方向に対応するための液晶表示７セグメントのセグメント数を最少限に抑え、コストダウンを図ることができる。
【発明を実施するための最良の形態】
【００２３】
本発明を実施するための最良の形態は後述する実施例１および２に記載の通りである。
【実施例１】
【００２４】
図１ないし図４に本発明の実施例１である配線用遮断器形の電子式電力量計を示す。図１はその正面図を示し、１は電子式電力量計の筐体、２は電源側端子ねじ、３は負荷側端子ねじ、４は銘板、５は銘板４の中央部分に位置する表示手段（液晶表示器）である。図２は表示手段５を拡大して示す図である。図１および図２は全てのセグメントを表示状態（全点灯状態）としたものである。６は押しボタン式の表示方向切替スイッチである。
【００２５】
表示手段５は、図３に示されるように、上方向に対応するＴタイプ（第１）の表示パターン７、右方向に対応するＲタイプ（第２）の表示パターン８、下方向に対応するＢタイプ（第３）の表示パターン９および左方向に対応するＬタイプ（第４）の表示パターン１０が、複数組の液晶表示７セグメント１１（図２）の組み合わせによって形成されているものである。液晶表示セグメント１１はすべて形状及び大きさが同一である。そして、表示方向切替スイッチ６のオン毎に、表示パターン７ないし１０が順次切り替えられる。
【００２６】
図２に示されるように、表示手段５は、上下方向と左右方向の十字状に複数組の液晶表示７セグメント１１が配列されることによって形成される。その十字状の交差部分では４つの液晶表示７セグメント１１がブロック状に組み付けられ、表示パターン７ないし１０に共通に使用される液晶表示セグメント（図２でハッチングされたセグメント）を含む。十字状の複数組の液晶表示７セグメント１１および小数点表示用の液晶表示セグメント１２が計量表示部を構成する。１３は計量単位表示部を構成する液晶表示セグメントである。そして、動作を表示するための液晶表示セグメント１４および無計量を表示するための液晶表示セグメント１５が動作表示部を構成する。
【００２７】
上記計量表示部、計量単位表示部および動作表示部は、図３に示されるように、各表示パターン７ないし１０に含まれる。したがって、筐体１の設置方向が図４に示されるように変わると、表示手段５における表示方向もそれに応じて計量表示部と同様に変わる。したがって、表示手段５における表示を読み取り易くすることができる。
【００２８】
なお、図４において、銘板４の文字方向は、ＴタイプおよびＲタイプの場合と、ＢタイプおよびＬタイプの場合とは異なっている。これは、発注を受けた時点で表示方向が指定されている場合にはその表示方向に対応した文字方向の銘板４を製造過程で貼り付けている例を示しているからである。銘板４の文字方向がＴタイプのみに対応したものであっても良いことは言うまでもない。
【００２９】
図５のフローチャートによって電子式電力量計に備えられたＣＰＵの表示方向切替動作を説明する。
【００３０】
ステップＳ１では初期化処理を行う。ステップＳ２では表示方向切替スイッチ６がオフになっているか否かを判別する。オフとは表示方向切替スイッチ６が押されていない状態のことであり、オンとは表示方向切替スイッチ６が押されている状態のことである。
【００３１】
オフであれば、ステップＳ３でオンになるまで待ち、オンになるとステップＳ４に進む。ステップＳ２およびＳ３は、表示方向切替スイッチ６のオンから一度オフを検出しないと次のオンを検出しないようにして、オンしたままで順次表示方向が切り替わることのないようにするルーチンである。
【００３２】
ステップＳ４では、ＥＥＰＲＯＭなどの記憶手段（不図示）に記憶されている表示方向（表示パターン）を読み出し、その表示方向がＴタイプであるか否かを判定する。Ｔタイプであれば、それが現在の表示方向であるとして、ステップＳ５で表示方向をＲタイプに切り替える。そして、ステップＳ６にて切り替えた表示方向、すなわちＲタイプに前記記憶手段の内容を書き換える。
【００３３】
ステップＳ４にて読み出した表示方向がＴタイプでないと判定するとステップＳ７へ進み、Ｒタイプか否かを判定する。Ｒタイプであれば、それが現在の表示方向であるとして、ステップＳ８で表示方向をＢタイプに切り替える。そして、ステップＳ６にて切り替えた表示方向、すなわちＢタイプに前記記憶手段の内容を書き換える。
【００３４】
ステップＳ７にて読み出した表示方向がＲタイプでないと判定するとステップＳ９へ進み、Ｂタイプか否かを判定する。Ｂタイプであれば、それが現在の表示方向であるとして、ステップＳ１０で表示方向をＬタイプに切り替える。そして、ステップＳ６にて切り替えた表示方向、すなわちＬタイプに前記記憶手段の内容を書き換える。
【００３５】
ステップＳ９にて読み出した表示方向がＢタイプでないと判定するとステップＳ１１へ進み、残りのＬタイプが現在の表示方向であるとして、表示方向をＴタイプに切り替える。そして、ステップＳ６にて切り替えた表示方向、すなわちＴタイプに前記記憶手段の内容を書き換える。
【００３６】
図６は本実施例の構成を機能ブロックで示した機能ブロック図である。表示方向切替操作手段である表示方向切替スイッチ６が操作されると、記憶手段１６に記憶された表示方向に基づいて図５のステップＳ４，Ｓ７，Ｓ９の動作を行うものに相当するＣＰＵの表示方向判定手段１７により現在の表示方向を判定する。その判定結果に応じて、図５のステップＳ５，Ｓ８，Ｓ１０，Ｓ１１の動作を行うものに相当するＣＰＵの表示方向切替手段１８により表示手段５の表示方向（表示パターン）を切り替える。表示手段５は、液晶表示７セグメント１１等からなる計量表示部１９、計量単位表示部２０および動作表示部２１により構成される。
【００３７】
以上のように、表示パターン７ないし１０を機器本体の設置方向に合わせて切り替えることにより、計量表示部を機械的に回動させることなく、かつ、銘板４の文字方向に関係なく、表示方向を機器本体の設置方向に合わせることができる。そのため、従来例の欠点である、部品点数の増加による製造原価の増大、および機構の複雑化による動作不良や故障を解消することができる。
【００３８】
また、液晶表示７セグメント１１を数字表示に使用することにより、ドットマトリクス液晶表示器に比べ、液晶表示器本体、液晶表示器の駆動回路、および駆動回路を制御するためのソフトウェアの構成が簡単になる。また、各セグメントの大きさおよび形状を同一としており、液晶表示器の構造の簡略化に貢献している。そのため、従来例の欠点である、駆動回路の複雑化による製造原価の増大、ソフトウェア作成の原価の増大、およびドット欠けによる表示不良の恐れを解消することができる。
【実施例２】
【００３９】
図７に本発明の実施例２である配線用遮断器形の電子式電力量計の表示手段を示し、図８に４つの表示方向に対応した状態を示す。
【００４０】
図７において、２２は表示手段であり、計量表示部２３と計量単位表示部２４，２４’と動作表示部２５とを有する。計量表示部２３の主要部は、二つの液晶表示７セグメントが４セグメントの共用によりカギ状をなす液晶表示セグメント群２６を、左右方向に一列に配列することによって形成される。２７は計量表示部２３の小数点表示用の液晶表示セグメントである。なお、図７は全てのセグメントを表示状態（全点灯状態）としたものである。
【００４１】
計量単位表示部２４’は計量単位表示部２４に対して上下方向に逆さまになっているものである。動作表示部２５は動作を表示するための液晶表示セグメント２８と無計量を表示するための液晶表示セグメント２９からなる。
【００４２】
図８においては、３１は電子式電力量計の筐体、３２は電源側端子ねじ、３３は負荷側端子ねじである。３４は銘板、３５は表示方向切替スイッチである。図８には表示方向に対応する表示手段２２の４つの表示パターン（Ｔタイプ、Ｒタイプ、Ｂタイプ、Ｌタイプ）が示されている。これから分かるように、ＲタイプおよびＬタイプでは液晶表示７セグメントは上下方向に一列に並んで計量値を表示する。また、表示方向によって表示状態が変化するのは、計量表示部２３と計量単位表示部２４，２４’のみであり、動作表示部２５の表示状態は変化しない。
【産業上の利用可能性】
【００４３】
本発明は電子式電力量計のみならず、表示方向を機器本体の設置方向に合わせることが望ましい、主として数字を表示する電流計、タイムスイッチなどの機器の表示装置として適用することができる。
【図面の簡単な説明】
【００４４】
【図１】本発明の実施例１である電子式電力量計を示す正面図である。
【図２】実施例１における全表示状態の表示手段を示す正面図である。
【図３】実施例１の４つの表示パターンを示す図である。
【図４】実施例１の４つの表示方向に切り替えられた各状態を示す正面図である。
【図５】実施例１の表示状態切替動作を示すフローチャートである。
【図６】実施例１の構成を機能ブロックで示す機能ブロック図である。
【図７】本発明の実施例２における全表示状態の表示手段を示す正面図である。
【図８】実施例２の４つの表示方向に切り替えられた各状態を示す正面図である。
【図９】表示方向別の４タイプの従来例である電子式電力量計を示す正面図である。
【図１０】表示パターン切替型の従来例である電子式電力量計を示す正面図である。
【符号の説明】
【００４５】
１，３１            電子式電力量計の筐体
２，３２            電源側端子ねじ
３，３３            負荷側端子ねじ
５，２２            表示手段
６，３５            表示方向切替スイッチ
７〜１０            表示パターン
１１                液晶表示７セグメント
１２〜１５          液晶表示セグメント
１６                記憶手段
１７                表示方向判定手段
１８                表示方向切替手段
１９，２３          計量表示部
２０，２４，２４’  計量単位表示部
２１，２５          動作表示部
２６                液晶表示セグメント群
【図１】
2007256559.tif 000003
【図２】
2007256559.tif 000004
【図３】
2007256559.tif 000005
【図４】
2007256559.tif 000006
【図５】
2007256559.tif 000007
【図６】
2007256559.tif 000008
【図７】
2007256559.tif 000009
【図８】
2007256559.tif 000010
【図９】
2007256559.tif 000011
【図１０】
2007256559.tif 000012